(57)【要約】    【課題】      ブースタが移設された時に当該ブースタの動作を停止すること。    【解決手段】  制御部１１９は、ブースタ監視装置１０３から基地局識別情報保持指示を受けた時に、設置時の基地局識別情報をブースタ識別情報と共にブースタ１０１の不揮発メモリ装置１２０に保持させる。次に、ブースタ監視装置１０３は、ブースタ１０１が通信を行っている基地局１０４を識別する現時点の基地局識別情報をブースタ識別情報と共に定期的に取得する。そして、ブースタ監視装置１０３は、ブースタ識別情報が同一である場合における前記設置時の基地局識別情報と前記現時点の基地局識別情報とが一致しない時に当該ブースタ識別情報に係るブースタ１０１の動作を停止させる。すなわち、ブースタ監視装置１０３は、ブースタ１０１が移設された時に、当該ブースタ１０１の動作を停止させる。  【選択図】      図１
2006140563.tif 000002
【特許請求の範囲】
【請求項１】
ブースタの設置時における前記ブースタが通信を行う基地局を識別する設置時の基地局識別情報をブースタ識別情報と共にブースタの不揮発メモリ装置に保持させる手段と、
前記ブースタが通信を行っている基地局を識別する現時点の基地局識別情報を前記ブースタ識別情報と共に定期的に取得する手段と、
前記ブースタ識別情報が同一である場合における前記設置時の基地局識別情報と前記現時点の基地局識別情報とが一致しない時に当該ブースタの動作を停止させる動作停止手段と、
を具備するブースタ監視システム。
【請求項２】
前記動作停止手段により前記ブースタの動作を停止させる時に警告をする警告手段を具備する請求項１に記載のブースタ監視システム。
【請求項３】
前記動作停止手段により前記ブースタの動作を停止させる時に移設禁止の警告文を表示する表示手段を具備する請求項１又は請求項２に記載のブースタ監視システム。
【請求項４】
ブースタの位置を検出して位置情報を生成する位置情報検出手段と、
前記ブースタの設置時における前記位置情報検出手段からの前記位置情報を設置時位置情報としてブースタ識別情報と共に前記ブースタの不揮発メモリ装置に保持させる手段と、
前記位置情報検出手段からの前記位置情報を前記ブースタ識別情報と共に定期的に取得して現時点位置情報とし前記ブースタ識別情報が同一である場合における前記現時点位置情報と前記設置時位置情報とが基準値以上だけ異なる時に当該ブースタの動作を停止させる動作停止手段と、
を具備するブースタ監視システム。
【請求項５】
前記動作停止手段により前記ブースタの動作を停止させる時に警告をする警告手段を具備する請求項４に記載のブースタ監視システム。
【請求項６】
前記動作停止手段により前記ブースタの動作を停止させる時に移設禁止の警告文を表示する表示手段を具備する請求項４又は請求項５に記載のブースタ監視システム。
【請求項７】
ブースタの設置時における前記ブースタが通信を行う基地局を識別する設置時の基地局識別情報をブースタ識別情報と共にブースタの不揮発メモリ装置に保持させるステップと、
前記ブースタが通信を行っている基地局を識別する現時点の基地局識別情報を前記ブースタ識別情報と共に定期的に取得するステップと、
前記ブースタ識別情報が同一である場合における前記設置時の基地局識別情報と前記現時点の基地局識別情報とが一致しない時に当該ブースタの動作を停止させる動作停止ステップと、
を具備するブースタ監視方法。
【請求項８】
ブースタの位置を検出して位置情報を生成する位置情報検出ステップと、
前記ブースタの設置時における前記位置情報検出ステップにおいての前記位置情報を設置時位置情報としてブースタ識別情報と共に前記ブースタの不揮発メモリ装置に保持させるステップと、
前記位置情報検出ステップにおける前記位置情報を前記ブースタ識別情報と共に定期的に取得して現時点位置情報とし前記ブースタ識別情報が同一である場合における前記現時点位置情報と前記設置時位置情報とが基準値以上だけ異なる時に当該ブースタの動作を停止させる動作停止ステップと、
を具備するブースタ監視方法。
【発明の詳細な説明】
【技術分野】
【０００１】
本発明は、基地局と移動通信機との間で送受信される信号を増幅するブースタを監視するブースタ監視システム及びブースタ監視方法に関するものである。
【背景技術】
【０００２】
従来のブースタとして、特許文献１に記載されたものがある。この従来のブースタは、送受信される信号の増幅の利得（増幅率）を制御している。  
【特許文献１】特開２００１−６９０９１号公報
【発明の開示】
【発明が解決しようとする課題】
【０００３】
しかしながら、従来のブースタにおいては、ブースタが設置位置を登録して移設ができない機械であるにも拘わらず、ブースタが移設されて使用されているという問題がある。
【０００４】
本発明は、かかる点に鑑みてなされたものであり、ブースタが移設された時にブースタの動作を停止することができるブースタ監視システム及びブースタ監視方法を提供することを目的とする。
【課題を解決するための手段】
【０００５】
本発明の第１のものに係るブースタ監視システムは、ブースタの設置時における前記ブースタが通信を行う基地局を識別する設置時の基地局識別情報をブースタ識別情報と共にブースタの不揮発メモリ装置に保持させる手段と、前記ブースタが通信を行っている基地局を識別する現時点の基地局識別情報を前記ブースタ識別情報と共に定期的に取得する手段と、前記ブースタ識別情報が同一である場合における前記設置時の基地局識別情報と前記現時点の基地局識別情報とが一致しない時に当該ブースタの動作を停止させる動作停止手段と、を具備する構成を採る。
【０００６】
本発明の第２のものに係るブースタ監視システムは、ブースタの位置を検出して位置情報を生成する位置情報検出手段と、前記ブースタの設置時における前記位置情報検出手段からの前記位置情報を設置時位置情報としてブースタ識別情報と共に前記ブースタの不揮発メモリ装置に保持させる手段と、前記位置情報検出手段からの前記位置情報を前記ブースタ識別情報と共に定期的に取得して現時点位置情報とし前記ブースタ識別情報が同一である場合における前記現時点位置情報と前記設置時位置情報とが基準値以上だけ異なる時に当該ブースタの動作を停止させる動作停止手段と、を具備する構成を採る。
【０００７】
本発明の第３のものに係るブースタ監視方法は、ブースタの設置時における前記ブースタが通信を行う基地局を識別する設置時の基地局識別情報をブースタ識別情報と共にブースタの不揮発メモリ装置に保持させるステップと、前記ブースタが通信を行っている基地局を識別する現時点の基地局識別情報を前記ブースタ識別情報と共に定期的に取得するステップと、前記ブースタ識別情報が同一である場合における前記設置時の基地局識別情報と前記現時点の基地局識別情報とが一致しない時に当該ブースタの動作を停止させる動作停止ステップと、を具備するようにした。
【０００８】
本発明の第４のものに係るブースタ監視方法は、ブースタの位置を検出して位置情報を生成する位置情報検出ステップと、前記ブースタの設置時における前記位置情報検出ステップにおいての前記位置情報を設置時位置情報としてブースタ識別情報と共に前記ブースタの不揮発メモリ装置に保持させるステップと、前記位置情報検出ステップにおける前記位置情報を前記ブースタ識別情報と共に定期的に取得して現時点位置情報とし前記ブースタ識別情報が同一である場合における前記現時点位置情報と前記設置時位置情報とが基準値以上だけ異なる時に当該ブースタの動作を停止させる動作停止ステップと、を具備するようにした。
【発明の効果】
【０００９】
本発明によれば、ブースタが移設された時にブースタの動作を停止することができる。
【発明を実施するための最良の形態】
【００１０】
次に、本発明の実施の形態について、図面を参照して詳細に説明する。
【００１１】
（実施の形態１）
図１は、本発明の実施の形態１に係るブースタ監視システムの構成を示すブロック図である。図１に示すように、本発明の実施の形態１に係るブースタ監視システム１００は、ブースタ１０１に公衆網１０２を介して接続されているブースタ監視装置１０３を具備している。ブースタ監視装置１０３は、ブースタ１０１及び基地局１０４と通信を行うことができる。ブースタ監視装置１０３は、専用線によりブースタ１０１に接続されるようにしてもよい。
【００１２】
また、ブースタ監視システム１００は、ブースタ１０１に接続されている警告装置１０５及び表示装置１０６を具備している。
【００１３】
ブースタ１０１は、下り信号増幅部１１１、上り信号増幅部１１２、屋外側アンテナ１１３、共用器１１４、分配器１１５、共用器１１６、屋内側アンテナ１１７、受信部１１８、制御部１１９、不揮発メモリ装置１２０、利得制御部１２１、計時部１２２、バックアップ電源１２３及び回線部１２４を具備している。
【００１４】
下り信号増幅部１１１は、低雑音増幅器１１１１、可変減衰器１１１２及び増幅器１１１３を具備している。上り信号増幅部１１２は、低雑音増幅器１１２１、可変減衰器１１２２及び増幅器１１２３を具備している。
【００１５】
屋外側アンテナ１１３は、屋外に位置する基地局１０４との間で信号の送受信を行うものである。屋外側アンテナ１１３は、基地局１０４からの信号（無線信号）を受けて受信信号を生成して共用器１１４及び分配器１１５を介して下り信号増幅部１１１に与える。また、屋外側アンテナ１１３は、上り信号増幅部１１２からの信号を共用器１１４を介して受けて無線信号として基地局１０４に送信する。
【００１６】
分配器１１５は、屋外側アンテナ１１３及び共用器１１４を介して受ける基地局１０４からの信号を下り信号増幅部１１１の低雑音増幅器１１１１と受信部１１８とに分配する。
【００１７】
下り信号増幅部１１１は、分配器１１５からの信号を利得制御部１２１から指定された増幅の利得（増幅率）に応じて増幅して共用器１１６へ送出する。低雑音増幅器１１１１は、共用器１１４及び分配器１１５を介して受ける基地局１０４からの信号を規定の増幅率にて増幅して可変減衰器１１１２に与える。
【００１８】
可変減衰器１１１２は、低雑音増幅器１１１１からの信号を減衰させて増幅器１１１３に与える。この時に、可変減衰器１１１２は、利得制御部１２１からの指示に応じて減衰率を可変する。増幅器１１１３は、可変減衰器１１１２からの信号を利得制御部１２１により指示された増幅率で増幅し共用器１１６を介して屋内側アンテナ１１７に与える。
【００１９】
共用器１１６は、増幅器１１１３からの信号を受けて屋内側アンテナ１１７に与える。また、共用器１１６は、通信端末装置からの信号を受けて上り信号増幅部１１２に与える。屋内側アンテナ１１７は、増幅器１１１３からの信号を共用器１１６を介して受けて無線信号として通信端末装置に送信する。
【００２０】
上り信号増幅部１１２は、共用器１１６を介して受ける通信端末装置からの信号を利得制御部１２１により指定された増幅率で増幅して共用器１１４へ送出する。
【００２１】
低雑音増幅器１１２１は、共用器１１６を介して受ける通信端末装置からの信号を規定の増幅率にて増幅して可変減衰器１１２２に与える。
【００２２】
可変減衰器１１２２は、低雑音増幅器１１２１からの信号を減衰させて増幅器１１２３に与える。この時に、可変減衰器１１２２は、利得制御部１２１からの指示に応じて減衰率を可変する。増幅器１１２３は、可変減衰器１１２２からの信号を利得制御部１２１により指示された増幅率で増幅し共用器１１４を介して屋外側アンテナ１１３に与える。
【００２３】
共用器１１４は、増幅器１１２３からの信号を受けて屋外側アンテナ１１３に与える。屋外側アンテナ１１３は、増幅器１１２３からの信号を共用器１１４を介して受けて無線信号として基地局１０４に送信する。
【００２４】
受信部１１８は、基地局１０４からの基地局信号を屋外側アンテナ１１３、共用器１１４及び分配器１１５を介して受けて、基地局信号の制御チャネル情報をデコードし、また、受信信号の受信レベル情報を制御部１１９に与える。また、受信部１１８は、基地局からの信号を屋外側アンテナ１１３、共用器１１４及び分配器１１５を介して受けて受信信号を生成し、この受信信号の受信レベルを検出して制御部１１９に与える。
【００２５】
制御部１１９は、受信部１１８からの情報に基づいて下り信号増幅部１１１及び上り信号増幅部１１２に設定する増幅の利得（増幅率）を決めて利得制御部１２１に指示を与える。また、制御部１１９は、不揮発メモリ装置１２０に情報を書き込み、また、不揮発メモリ装置１２０から情報を読み出す。また、制御部１１９は、計時部１２２の制御を行う。
【００２６】
利得制御部１２１は、制御部１１９からの指示に基づいて下り信号増幅部１１１及び上り信号増幅部１１２の増幅の利得（増幅率）を制御する。
【００２７】
不揮発メモリ装置１２０は、基地局１０４を識別する基地局識別情報などの情報を保持するものであり、ブースタ１０１への電力供給が停止しても書き込まれた情報を保持する。計時部１２２は、時刻及び日付を計測して時刻情報を制御部１１９に与える。バックアップ電源１２３は、ブースタ１０１への電力供給が停止した時に計時部１２２の時刻情報が消えないようにバックアップする。
【００２８】
回線部１２４は、公衆網１０２を介してブースタ監視装置１０３に接続されている。回線部１２４は、ブースタ監視装置１０３を制御部１１９に接続するためのものである。
【００２９】
ブースタ監視装置１０３は、公衆網１０２及び回線部１２４を介して制御部１１９に対し情報を送受信する。ブースタ監視装置１０３は、ブースタ１０１の設置時におけるブースタ１０１が通信を行う基地局１０４を識別する設置時の基地局識別情報をブースタ識別情報と共にブースタ１０１の不揮発メモリ装置１２０に保持させる基地局識別情報保持指示を制御部１１９に与える。
【００３０】
制御部１１９は、ブースタ監視装置１０３から基地局識別情報保持指示を受けた時に、設置時の基地局識別情報をブースタ識別情報と共にブースタ１０１の不揮発メモリ装置１２０に保持させる。
【００３１】
次に、ブースタ監視装置１０３は、ブースタ１０１が通信を行っている基地局１０４を識別する現時点の基地局識別情報をブースタ識別情報と共に定期的に取得する。そして、ブースタ監視装置１０３は、ブースタ識別情報が同一である場合における前記設置時の基地局識別情報と前記現時点の基地局識別情報とが一致しない時に当該ブースタ識別情報に係るブースタ１０１の動作を停止させる。すなわち、ブースタ監視装置１０３は、ブースタ１０１が移設された時に、当該ブースタ１０１の動作を停止させる。
【００３２】
警告装置１０５及び表示装置１０６は、制御部１１９に接続されている。ブースタ監視装置１０３は、ブースタ１０１の動作を停止させる時に、警告指示を制御部１１９に与える。制御部１１９は、ブースタ監視装置１０３から警告指示を受けた時に警告装置１０５及び表示装置１０６に与える。
【００３３】
警告装置１０５は、制御部１１９から警告指示を受けた時に所定時間だけ警報音を発生する。また、警告装置１０５は、制御部１１９から警告指示を受けた時に警告表示をしてもよい。また、表示装置１０６は、制御部１１９から警告指示を受けた時に移設禁止の警告文を表示する。
【００３４】
（実施の形態２）
次に、本発明の実施の形態２について、図面を参照して詳細に説明する。
【００３５】
図２は、本発明の実施の形態２に係るブースタ監視システムの構成を示すブロック図である。本発明の実施の形態２においては、本発明の実施の形態１と同じ構成要素には同じ参照符号が付されてその説明が省略される。
【００３６】
図２に示すように、本発明の実施の形態２に係るブースタ監視システム２００は、本発明の実施の形態１において、ブースタ監視装置１０３の代わりにブースタ監視装置２０１を有し、かつ、ＧＰＳ受信装置２０２を追加してなる。
【００３７】
すなわち、本発明の実施の形態２に係るブースタ監視システム２００は、ブースタ１０１に公衆網１０２を介して接続されているブースタ監視装置２０１を具備している。ブースタ監視装置２０１は、ブースタ１０１及び基地局１０４と通信を行うことができる。ブースタ監視装置２０１は、公衆網１０２及び回線部１２４を介して制御部１１９に対し情報を送受信する。ＧＰＳ受信装置２０２は、ブースタ１０１の制御部１１９に接続されている。
【００３８】
ＧＰＳ受信装置２０２は、ブースタ１０１の位置を検出して位置情報を生成して制御部１１９に与える。ブースタ監視装置２０１は、ブースタ１０１の設置時におけるＧＰＳ受信装置２０２からの位置情報を設置時位置情報としてブースタ識別情報と共にブースタ１０１の不揮発メモリ装置１２０に保持させる位置情報保持指示を制御部１１９に与える。
【００３９】
制御部１１９は、ブースタ監視装置２０１から位置情報保持指示を受けた時に、ＧＰＳ受信装置２０２からの位置情報を設置時位置情報としてブースタ識別情報と共にブースタ１０１の不揮発メモリ装置１２０に保持させる。
【００４０】
次に、ブースタ監視装置２０１は、ＧＰＳ受信装置２０２からの位置情報をブースタ識別情報と共に制御部１１９を介して定期的に取得して現時点位置情報とし、ブースタ識別情報が同一である場合における前記現時点位置情報と前記設置時位置情報とが基準値以上だけ異なる時に当該ブースタ識別情報に係るブースタ１０１の動作を停止させる。すなわち、ブースタ監視装置２０１は、所定位置からブースタ１０１が所定距離以上だけ離れた位置に移設された時に、当該ブースタ１０１の動作を停止させる。
【産業上の利用可能性】
【００４１】
本発明は、ブースタが移設された時にブースタの動作を停止することができる効果を有し、ブースタ監視システム及びブースタ監視方法に有用である。
【図面の簡単な説明】
【００４２】
【図１】本発明の実施の形態１に係るブースタ監視システムの構成を示すブロック図
【図２】本発明の実施の形態２に係るブースタ監視システムの構成を示すブロック図
【符号の説明】
【００４３】
１００、２００  ブースタ監視システム
１０１  ブースタ
１０２  公衆網
１０３、２０１  ブースタ監視装置
１０４  基地局
１０５  警告装置
１０６  表示装置
１１１  下り信号増幅部
１１２  上り信号増幅部
１１３  屋外側アンテナ
１１４、１１６  共用器
１１５  分配器
１１７  屋内側アンテナ
１１８  受信部
１１９、３０１、４０１  制御部
１２０  不揮発メモリ装置
１２１  利得制御部
１２２  計時部
１２３  バックアップ電源
１２４  回線部
１１１１、１１２１  低雑音増幅器
１１１２、１１２２  可変減衰器
１１１３、１１２３  増幅器
２０２  ＧＰＳ受信装置
【図１】
2006140563.tif 000003
【図２】
2006140563.tif 000004